(57)【要約】【課題】外出先における携帯電話への給電が可能な吊り下げアクセサリを提供する【解決手段】下面がテーブル１１の上に乗って摩擦接触するように構成され、上面に太陽電池パネル３を具備し、発電電力を蓄電するバッテリーを搭載し、側面にバッテリーから携帯電話などの電子機器の電源端子へ電力供給を行う充電端子４を具備している基部２と、リンク６及びＬ字型リンク７が連続して互いに回転可能にする旋回軸ピン９を介して連結されて構成されているフック５とによって構成される吊り具【選択図】図１
2012157230.tif 000002
【特許請求の範囲】
【請求項１】
面に対して物品を吊り下げるための吊り具において、当該吊り具が
ほぼ平坦な下面、上面、側面及び周辺部を備え、前記下面が前記面の上に乗って摩擦接触するように構成され、前記上面に太陽電池パネルを具備し、太陽電池パネルの発電電力を蓄電するバッテリーを搭載し、前記側面にバッテリーから携帯電話などの電子機器の電源端子へ電力供給を行う充電端子を具備している基部と、
リンク及びＬ字型リンクが連続して互いに回転可能にする旋回軸ピンを介して連結されて構成されているフックと、
前記リンクが前記基部に対して水平な位置と下方向を指向して垂直な位置の間で回転可能であるように、前記基部と前記リンクを回転可能に連結する旋回軸ピンと、
前記フックは、前記リンクが前記基部に対して水平な位置にあって、前記フックが前記基部の周辺部にほぼ隣接して位置し、Ｌ字型リンクが充電端子の開口部を覆うカバーとして機能する収納構成と、
前記基部が前記面上に位置する時に、前記物品がフックにつり下がるように、前記リンクが前記基部に対して垂直な位置にあって、前記フックが鈎形状を形成する機能的構成との間で回転するように構成されていることを特徴とする吊り具。
【請求項２】
請求項１に記載の吊り具において、前記基部が、略長方形形状であることを特徴とする吊り具。
【発明の詳細な説明】
【技術分野】
【０００１】  この発明は、一般的に吊り下げアクセサリ、特に、テーブルからバッグを吊り下げるための吊り具に関する。
【従来技術】
【０００２】従来技術は、テーブルの周辺にバッグを置く十分なスペースがない時にバッグを吊り下げることができる、基部及び固定フック、又は回転及び折り畳み性能を有するフックを具える様々な形式の吊り具が存在する。
【先行技術文献】
【０００３】
【特許文献】
【特許文献】特表２０１０−５００１５２  ハンドバッグ用可搬形吊り具
【発明が解決しようとする課題】
【０００４】上記の従来技術においては、外出時に吊り具を持ち運ぶ必要があるが、吊り具を使用できるのは周辺にバッグを置く十分なスペースがないテーブルなどに着席した時のみであり、それ以外の時間帯は機能しない邪魔な運搬物となるという問題があった。
一方、携帯電話が高性能化して生活必需品となってきており、外出時のバッテリー切れが問題視されることが多くなってきた。事実、外出先における携帯電話の充電器関連市場が急成長を遂げている。
【課題を解決するための手段】
【０００５】上記の課題を解決するための第一考案は、面に対して物品を吊り下げるための吊り具において、当該吊り具がほぼ平坦な下面、上面、側面及び周辺部を備え、前記下面が前記面の上に乗って摩擦接触するように構成され、前記上面に太陽電池パネルを具備し、太陽電池パネルの発電電力を蓄電するバッテリーを搭載し、前記側面にバッテリーから携帯電話などの電子機器の電源端子へ電力供給を行う充電端子を具備している基部と、リンク及びＬ字型リンクが連続して互いに回転可能にする旋回軸ピンを介して連結されて構成されているフックと、前記リンクが前記基部に対して水平な位置と下方向を指向して垂直な位置の間で回転可能であるように、前記基部と前記リンクを回転可能に連結する旋回軸ピンと、前記フックは、前記リンクが前記基部に対して水平な位置にあって、前記フックが前記基部の周辺部にほぼ隣接して位置し、Ｌ字型リンクが充電端子の開口部を覆うカバーとして機能する収納構成と、前記基部が前記面上に位置する時に、前記物品がフックにつり下がるように、前記リンクが前記基部に対して垂直な位置にあって、前記フックが鈎形状を形成する機能的構成との間で回転するように構成されていることを特徴とする吊り具。
【０００６】上記の課題を解決するための第二考案は、前記基部が、略長方形形状であることを特徴とする吊り具。
【発明の効果】
【０００７】第一、  又は第二考案によれば、テーブルの周辺にバッグを置く十分なスペースがない時に、吊り具のフックにバッグを吊り下げることができるだけではなく、外出時に基部の上面に具備された太陽電池パネルが光を受けて発電した発電電力が前記基部に搭載されたバッテリーに蓄電され、携帯電話のバッテリーが消耗した際に、携帯電話の電源端子に前記基部の側面に具備された充電端子を挿入することによって携帯電話への充電が可能となる。つまり、周辺にバッグを置く十分なスペースがないテーブルなどに着席した時以外にも吊り具が機能するため、吊り具が邪魔な運搬物とならない。
さらにＬ字型リンクが充電端子の開口部を覆うカバーとして機能し、充電端子内へのほこりやゴミの混入を防ぐとともに、Ｌ字型リンクを旋回軸ピンの働きで回転させることで充電端子の開口部を占位していたＬ字型リンクを外すことができる。つまりＬ字型リンクの回転動作で充電端子のフタの開閉を行うことができ、部品点数の削減によるコストダウンならびに小型化を実現することができる。
【図面の簡単な説明】
【０００８】
【図１】この考案の一実施形態を示すもので、フックが収納された状態の吊り具を示す斜視図である。
【図２】この考案の一実施形態を示すもので、フックが展開された状態の吊り具を示す斜視図である。
【図３】この考案の一実施形態を示すもので、面上に基部が置かれ、フックに物品が吊るされた状態の吊り具を示す斜視図である。
【発明を実施するための形態】
【０００９】以下、本考案の実施の形態について図面を参照しながら詳細に説明する。
上述の図面は、本発明、バッグ１０のような物品をテーブル１１から吊すための吊り具１を示す。もちろん、吊り具１は、コートや帽子、傘、買い物袋など、他の物品の支持にも好適であり、このような代替物は、主張する発明の範囲内と考慮されるべきである。また、吊り具１はバッグ１０にひもなどによって係止されて運搬される。
【００１０】図１は、本考案の一実施形態における吊り具１を示す斜視図であり、ほぼ平坦な下面、上面、側面及び周辺部を備え、下面がテーブル１１の上に乗って摩擦接触するように構成され、上面に太陽電池パネル３を具備し、太陽電池パネル３の発電電力を蓄電するバッテリーを搭載し、側面にバッテリーから携帯電話などの電子機器の電源端子へ電力供給を行う充電端子４を具備している基部２と、バッグ１０を吊るすためにフック５を形成する連続して互いに回転可能にする旋回軸ピン９を介して連結されたリンク６とＬ字型リンク７とを備える構成で示されている。なお、テーブル１１という言葉は、本書では、ユーザがバッグ１０を吊すことを望みうる様々なほぼ平面を含むように規定される。
【００１１】基部２は、高価ではない実施例のためにプラスチックや、より高価な実施例のために金属、及びより高価な実施例のための潜在的に貴金属を含む任意の好適な材料から形成しうる。
【００１２】フック５は基部２の側面の略中央部に旋回軸ピン８を介して連結されており、リンク６の長手方向が基部２に対して水平な位置にあって、フック５が基部２の側面の周辺部にほぼ隣接して位置し、Ｌ字型リンク７が充電端子４の開口部を覆うカバーとしてほこりやゴミの充電端子４内への混入を防ぐように機能する収納構成と、基部２がテーブル１１上に位置する時に、バッグ１０がフック５に吊り下がるように、リンク６が基部２に対して垂直な位置にあって、フック５が鈎形状を形成する機能的構成との間で回転するように構成されている。
【００１３】太陽電池パネル３と基部２に搭載されたバッテリーと充電端子４は相互に接続されており、外出時に太陽電池パネル３が光を受けて発電した発電電力が、基部２に搭載されたバッテリーに蓄電され、充電端子４を通じて給電することができる。
【００１４】図２は、本考案の一実施形態における吊り具１を示す斜視図であり、旋回軸ピン９の働きで互いに回転したリンク６とＬ字型リンク７であり、Ｌ字型リンク７が基部２の側面の周辺部から離れている状態を示している。つまりＬ字型リンク７が充電端子４の開口部から離れるため、充電端子４を携帯電話などの電子機器の電源端子に挿入し、基部２に搭載されたバッテリーに蓄電された電力を給電することができる。
【００１５】図３は、本考案の一実施形態における吊り具１を示す斜視図であり、テーブル１１上に基部２が置かれ、フック５にバッグ１０が吊るされた状態を示す。リンク６が基部２に対して垂直な位置にあって、フック５が鈎形状を形成しているため、バッグ１０をフック５に吊り下げることができる。
【符号の説明】
【００１６】１    吊り具
２    基部
３    太陽電池パネル
４    充電端子
５    フック
６    リンク
７    Ｌ字型リンク
８    旋回軸ピン
９    旋回軸ピン
１０  バッグ
１１  テーブル
【図１】
2012157230.tif 000003
【図２】
2012157230.tif 000004
【図３】
2012157230.tif 000005